(57)【要約】【課題】厚みの不均一な樹脂振動板を、ひけや空隙などを生じさせること無く成形する方法を提供する。【解決手段】凹金型５および凸金型４と、これらの金型を嵌合、組合せることで内部に外方へ向けて徐々に断面積が大きくなる略円錐形状の成形用キャビティ１０と、この成形用キャビティ１０へ樹脂を注入、充填するためのゲート部９と、前記凹金型５あるいは凸金型４の少なくとも一方に設けた離型用のイジェクトピン８からなり、前記成形用キャビティ１０の外周部に断面積を小さくするための絞り部７を設けた成形用金型３を用いた。【選択図】図２
2009298020.tif 000002
【特許請求の範囲】
【請求項１】
凹金型および凸金型と、これらの金型を嵌合、組合せることで内部に外方へ向けて徐々に断面積が大きくなる略円錐形状の成形用キャビティと、この成形用キャビティへ樹脂を注入、充填するためのゲート部と、前記凹金型あるいは凸金型の少なくとも一方に設けた離型用のイジェクトピンからなり、前記成形用キャビティの外周部に断面積を小さくするための絞り部を設けた成形用金型。
【請求項２】
凹金型および凸金型を嵌合、組合せることでその内部に外方へ向けて徐々に断面積が大きくなる略円錐形状の成形用キャビティへ、ゲートを介して樹脂を注入、充填し加圧、加熱することで略円錐形状の成形物を成形する第一の工程と、冷却後に前記凹、凸金型を開放し、少なくとも一方の金型に設けたイジェクトピンで前記成形物を離型する第二の工程と、前記成形物の外周を除去して樹脂振動板とする第三の工程とからなり、前記成形用キャビティは、その外周部に断面積を小さくするための絞り部を設けてあり、前記第三の工程の除去を前記絞り部とした樹脂振動板の製造方法。
【発明の詳細な説明】
【技術分野】
【０００１】
本発明は、スピーカに用いる樹脂振動板の製造方法に関する。
【背景技術】
【０００２】
スピーカ用振動板としては、パルプ材料を抄紙して形成した紙振動板や、樹脂材料を射出成形して形成した樹脂振動板などがある。樹脂振動板は、樹脂材料の限定により、音質の調整範囲などの制約がある反面、耐湿、耐水性に対する信頼性も高く、さらに生産性や品質の安定性も高いなど多くの利点を有している。
【０００３】
図３は、従来の成形用金型の断面図である。
【０００４】
先ず初めに、マイカなどの強化材をポリプロピレン樹脂（以下、「ＰＰ樹脂」と略す）に混練して形成したペレット材料を射出成形機に投入する。そして、このペレット材料を加熱して溶融し、押出し機などを介して一定温度に加熱されたペレット材料を射出成形用金型１、２内に射出充填し、加圧、加熱し成形した後、離型して取り出すことで樹脂振動板を形成する。
【０００５】
なお、この出願に関する先行技術文献情報としては、例えば、特許文献１が知られている。
【特許文献１】特開平７−２８４１８９号公報
【発明の開示】
【発明が解決しようとする課題】
【０００６】
上記の金型１、２を用いた射出成形では、断面積が一定、すなわち厚みが均一な樹脂振動板に対しては、安定した品質、高い生産性で成形することが可能である。しかしながら、外周部での共振対策などのため外周部にいくにつれて厚くなるような不均一な厚みを有する樹脂振動板を成形する場合、射出成形用金型１、２内で溶融した樹脂材料が均一に加圧されないため、気泡や空洞部などの外形不良が発生しやすいという課題があった。
【０００７】
そこで本発明は、厚みが不均一な振動板を高精度に成形することを目的とする。
【課題を解決するための手段】
【０００８】
そしてこの目的を達成するために本発明は、凹金型および凸金型と、これらの金型を嵌合、組合せることで内部に外方へ向けて徐々に断面積が大きくなる略円錐形状の成形用キャビティと、この成形用キャビティへ樹脂を注入、充填するためのゲート部と、前記凹金型あるいは凸金型の少なくとも一方に設けた離型用のイジェクトピンからなり、前記成形用キャビティの外周部に断面積を小さくするための絞り部を設けた成形用金型とした。
【発明の効果】
【０００９】
本発明に係る成形用金型は、外周部に向けて徐々に厚くなる樹脂振動板の成形方法であって、略円錐形状の成形用キャビティと、ゲートと、イジェクトピンを有する凹金型および凸金型を嵌合、組合せたものであり、前記成形用キャビティの外周部、すなわち最も断面積が大きくなる部位に、その断面積を小さくするための絞り部を設けている。そのため、ゲートを介して注入された樹脂は、この絞り部で整流され、キャビティ全体に充填されるとともに均一に加圧されるので、その結果、ひけや空隙などの形状不良の発生しない高精度な樹脂振動板を成形、製造することができる作用効果を奏する。
【発明を実施するための最良の形態】
【００１０】
以下に本発明の一実施の形態を説明する。
【００１１】
本実施の形態における成形用金型およびそれを用いた製造方法で製造する樹脂振動板は、均一な厚みのコーンからなるものではなく、不要共振を防止するため外周部に向けて厚くなるコーンを有したものである。
【００１２】
図１は、本実施の形態における成形用金型の一例を説明する分解斜視図である。
【００１３】
本実施の形態の成形用金型３は、下方より凸金型４、凹金型５、コマ金型６で構成されており、これらの金型４、５、６が互いに嵌合、組合わされている。
【００１４】
凸金型４には、第一の平坦面４ａと、この第一の平坦面４ａに連接して直線あるいは曲線状の第一の傾斜面４ｂが設けられ、さらにその外方を一定の幅の平坦面からなる第一の外縁部４ｃを設けている。この第一の傾斜面４ｂの外周（外縁部４ｃの近傍）には、内側より一定量突出させた絞り部７を全周に設けている。これら第一の平坦面４ａと第一の外縁部４ｃには、それぞれ離型用のイジェクトピン８を配設している。
【００１５】
凹金型５の底面には、上述した凸金型４の第一の平坦面４ａ、傾斜面４ｂ、外縁部４ｃと嵌合して一定の空間を形成する第二の平坦面５ａ、傾斜面５ｂ、外縁部５ｃが設けられている。
【００１６】
コマ金型６には、溶融させた樹脂の供給口６ａと、この供給口６ａの底面に設けた貫通孔からなるゲート９を設けている。これら、凸金型４、凹金型５、コマ金型６を嵌合し組合わせることで、例えばポリプロピレン、ポリエチレン、液晶ポリマー、ポリイミド、などの樹脂、あるいはこの樹脂にマイカやガラス繊維などをフィラーとして分散させた樹脂振動板を射出成形するものである。
【００１７】
図２は、図１のＡ−ＡＡ断面図であり、成形用金型３の内部構造を説明する図である。
【００１８】
上述したように、下から凸金型４、凹金型５、コマ金型６が互いに嵌合して組合わされており、内部に一定量の空洞部、すなわち成形用キャビティ１０を形成している。この成形用キャビティ１０は、コマ金型６の底面、第一、第二の平坦面４ａ、５ａ、第一、第二の傾斜面４ｂ、５ｂ、第一、第二の外縁部４ｃ、５ｃで閉じられた空間であり、コマ金型６のゲート９を介して注入された樹脂を充填、加圧、加熱硬化することで、略円錐形状の樹脂振動板を成形するものである。
【００１９】
コマ金型６の底面、第一、第二の平坦面４ａ、５ａに相当する樹脂振動板の平坦部は、ボイスコイルなどの取り付け面となり、絞り部７を除く第一、第二の傾斜面４ｂ、５ｂからなる樹脂振動板の傾斜部は、ボイスコイルなどの磁気回路から加えられた振動を音として再生するためのコーンとなる。本実施の形態におけるコーンは、外周部に向けて厚くなるものであり、そのため、第一、第二の傾斜面４ｂ、５ｂも互いに平行でなく外周部に向けて成形用キャビティ１０の断面積が広がるように形成されている。
【００２０】
本実施の形態で最も重要なのは、この第一の傾斜面４ｂの外周部に設けた絞り部７である。第一の傾斜面４ｂの外周部には、内側より一定量突出させた絞り部７が全周にわたり設けられている。この絞り部７によりゲート９から注入された樹脂は成形用キャビティ１０内に広がるとともに、外周部で流量が制限されて整流されることで、確実に成形用キャビティ１０内に充填される。そのため、特に外周部の断面積の大きい第一、第二の傾斜面４ｂ、５ｂで、注入した樹脂が成形用キャビティ１０の内壁から乖離して未充填となることを防止するとともに、特に精度の必要なコーンとなる部位を均一に加圧して成形することができるので、その結果、ひけや未充填などの形状不良のない高精度な樹脂振動板を成形可能である。
【００２１】
次に上記の成形用金型３を用いた樹脂振動板の製造方法を説明する。
【００２２】
まず初めに凸、凹金型４、５、コマ金型６を互いに嵌合し、組合わせる。そして、コマ金型６のゲート９を介して内部に形成した成形用キャビティ１０へ樹脂を注入し、加熱、硬化させることにより、中央に平坦面を有する略円錐形状の成形物を成形する。
【００２３】
次に一定温度以下に冷却した後、上記金型３を開放してイジェクトピン８等により略円錐形状の成形物を離型して取り出す。
【００２４】
そして最後にこの略円錐形状の成形物の外周部を除去してコーン形状の樹脂振動板とする。ここで重要なのが除去する外周部である。除去する外周部は、少なくとも凸金型４に設けた絞り部７とその外方に相当する部位であり、若干量絞り部７より内側も除去することが望ましい。
【００２５】
上記の成形用金型３と製造方法により、コーンの最外周までひけや未充填などの形状不良のない樹脂振動板を高精度に製造することができる。
【産業上の利用可能性】
【００２６】
本発明に係る成形用金型は、外周部に向けて徐々に厚くなる樹脂振動板の成形方法であって、略円錐形状の成形用キャビティと、ゲートと、イジェクトピンを有する凹金型および凸金型を嵌合、組合せたものであり、前記成形用キャビティの外周部、すなわち最も断面積が大きくなる部位に、その断面積を小さくするための絞り部を設けている。そのため、ゲートを介して注入された樹脂は、この絞り部で整流され、キャビティ全体に充填されるとともに均一に加圧されるので、その結果、ひけや空隙などの形状不良の発生しない高精度な樹脂振動板を成形、製造することができる作用効果を奏するので、スピーカに用いる樹脂振動板の製造方法に有用である。
【図面の簡単な説明】
【００２７】
【図１】本実施の形態における成形用金型の一例を説明する分解斜視図
【図２】図１のＡ−ＡＡ断面図
【図３】従来の成形用金型の断面図
【符号の説明】
【００２８】
４  凸金型
５  凹金型
７  絞り部
８  イジェクトピン
９  ゲート
１０  成形用キャビティ
【図１】
2009298020.tif 000003
【図２】
2009298020.tif 000004
【図３】
2009298020.tif 000005